【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
情報処理装置であって、
複数のデータを記憶する第１の記憶手段と、
前記第１の記憶手段とは異なる第２の記憶手段と、
前記情報処理装置が第１電力モードの場合に前記第１の記憶手段及び第２の記憶手段の両方に対して電力を供給し、前記情報処理装置が第２電力モードの場合に前記第２の記憶手段に対して電力を供給し且つ前記第１の記憶手段に対して電力の供給を停止する供給手段と、
前記情報処理装置を前記第２電力モードに移行させる要因があった場合に、
前記第１の記憶手段に記憶されるデータの一部を前記第１の記憶手段から前記第２の記憶手段に記憶する制御手段と、を有し、
前記供給手段は、前記第１の記憶手段に記憶されるデータの一部が前記第２の記憶手段に記憶された後に、前記第１の記憶手段に対して電力の供給を停止して前記情報処理装置を前記第２電力モードにし、
前記情報処理装置が前記第２電力モードで前記第１の記憶手段に記憶されるデータの読出要求を受信した場合、前記読出要求において読出対象とされているデータが前記第２の記憶手段に記憶されていれば、前記供給手段は前記第１の記憶手段に対する電力の供給を停止したままで、前記制御手段は前記第２の記憶手段から読出対象とされているデータを読み出し、
前記情報処理装置が前記第２電力モードで前記第１の記憶手段へのデータの書込要求を受信した場合、前記制御手段は、前記書込要求において書込対象とされているデータを前記第２の記憶手段に保持しておき、前記情報処理装置が前記第１電力モードに移行したことに応じて、前記第２の記憶手段に保持されたデータを前記第１の記憶手段に書き込む、ことを特徴とする情報処理装置。
【請求項２】
前記制御手段は、前記第１の記憶手段から読み出したデータを前記第２の記憶手段が記憶することが可能な場合に、前記第１の記憶手段から読み出したデータを前記第２の記憶手段に記憶することを特徴とする請求項１に記載の情報処理装置。
【請求項３】
前記制御手段は、前記第１の記憶手段に記憶されるデータの一部を前記第２の記憶手段が記憶することができない場合に、前記第２の記憶手段に記憶されるデータを消去した上で、当該第１の記憶手段に記憶されるデータの一部を前記第２の記憶手段に記憶することを特徴とする請求項１又は２に記載の情報処理装置。
【請求項４】
前記制御手段により前記第１の記憶手段から前記第２の記憶手段に記憶される前記第１の記憶手段に記憶されるデータの一部を、前記第１の記憶手段に記憶されたデータへのアクセス状況を示す管理情報に基づいて、選択する選択手段をさらに備える、ことを特徴とする請求項１乃至３のいずれか１項に記載の情報処理装置。
【請求項５】
前記読出要求において読出対象とされているデータを読み出した後に、前記管理情報を更新する更新手段をさらに備えることを特徴とする請求項４に記載の情報処理装置。
【請求項６】
前記管理情報は、前記第２の記憶手段に記憶されることを特徴とする請求項４又は５のいずれか１項に記載の情報処理装置。
【請求項７】
前記管理情報は、前記データへのアクセス頻度であり、
前記選択手段は、前記データへのアクセス頻度が高い順に優先して前記データを選択することを特徴とする請求項４乃至６のいずれか１項に記載の情報処理装置。
【請求項８】
前記管理情報は、前記データに最後にアクセスした時刻であり、
前記選択手段は、前記データに最後にアクセスした時刻が遅い順に優先して前記データを選択することを特徴とする請求項４乃至７のいずれか１項に記載の情報処理装置。
【請求項９】
前記選択手段は、前記データのデータ量の合計が前記第２の記憶手段の記憶領域を超えないように前記データを選択することを特徴とする請求項４乃至８のいずれか１項に記載の情報処理装置。
【請求項１０】
前記情報処理装置が前記第２電力モードで前記第１の記憶手段に記憶されるデータの読出要求を受信した場合、前記読出要求において読出対象とされているデータが前記第２の記憶手段に記憶されていなければ、前記供給手段は前記第１の記憶手段に対する電力の供給を開始して、前記制御手段は当該第１の記憶手段から読出対象とされているデータを読み出すことを特徴とする請求項１乃至９のいずれか１項に記載の情報処理装置。
【請求項１１】
複数のデータを記憶する第１の記憶手段と、前記第１の記憶手段とは異なる第２の記憶手段とを有し、第１電力モードで前記第１の記憶手段及び前記第２の記憶手段の両方に電力が供給され、第２電力モードで前記第２の記憶手段に対して電力を供給し且つ前記第１の記憶手段に対して電力の供給を停止する情報処理装置の制御方法であって、
前記情報処理装置を第２電力モードに移行させる要因があった場合に、
前記第１の記憶手段に記憶されるデータの一部を前記第１の記憶手段から前記第２の記憶手段に記憶する制御工程と、
前記制御工程により前記第１の記憶手段に記憶されるデータの一部が前記第２の記憶手段に記憶された後に、前記第１の記憶手段に対して電力の供給を停止して前記情報処理装置を第２電力モードに移行する移行工程と、
前記情報処理装置が前記第２電力モードで前記第１の記憶手段に記憶されるデータの読出要求を受信した場合、前記読出要求において読出対象とされているデータが前記第２の記憶手段に記憶されていれば、前記第１の記憶手段に対する電力の供給を停止したままで、前記第２の記憶手段から読出対象とされているデータを読み出す、読み出し工程と、
前記情報処理装置が前記第２電力モードで前記第１の記憶手段へのデータの書込要求を受信した場合、前記書込要求において書込対象とされているデータを前記第２の記憶手段に保持しておき、前記情報処理装置が前記第１電力モードに移行したことに応じて、前記第２の記憶手段に保持されたデータを前記第１の記憶手段に書き込む、書き込み工程と、を有することを特徴とする制御方法。
【請求項１２】
複数のデータを記憶する第１の記憶手段と、前記第１の記憶手段とは異なる第２の記憶手段とを有し、第１電力モードで前記第１の記憶手段及び前記第２の記憶手段の両方に電力が供給され、第２電力モードで前記第２の記憶手段に対して電力を供給し且つ前記第１の記憶手段に対して電力の供給を停止する情報処理装置に、
前記情報処理装置を第２電力モードに移行させる要因があった場合に、
前記第１の記憶手段に記憶されるデータの一部を前記第１の記憶手段から前記第２の記憶手段に記憶する制御工程と、
前記制御工程により前記第１の記憶手段に記憶されるデータの一部が前記第２の記憶手段に記憶された後に、前記第１の記憶手段に対して電力の供給を停止して前記情報処理装置を第２電力モードに移行する移行工程と、
前記情報処理装置が前記第２電力モードで前記第１の記憶手段に記憶されるデータの読出要求を受信した場合、前記読出要求において読出対象とされているデータが前記第２の記憶手段に記憶されていれば、前記第１の記憶手段に対する電力の供給を停止したままで、前記第２の記憶手段から読出対象とされているデータを読み出す、読み出し工程と、
前記情報処理装置が前記第２電力モードで前記第１の記憶手段へのデータの書込要求を受信した場合、前記書込要求において書込対象とされているデータを前記第２の記憶手段に保持しておき、前記情報処理装置が前記第１電力モードに移行したことに応じて、前記第２の記憶手段に保持されたデータを前記第１の記憶手段に書き込む、書き込み工程と、を実行させるためのプログラム。
【請求項１３】
情報処理装置であって、
複数のデータを記憶する第１の記憶手段と、
前記第１の記憶手段とは異なる第２の記憶手段と、
前記情報処理装置が第１電力モードの場合に前記第１の記憶手段及び第２の記憶手段の両方に対して電力を供給し、前記情報処理装置が第２電力モードの場合に前記第２の記憶手段に対して電力を供給し且つ前記第１の記憶手段に対して電力の供給を停止する供給手段と、
前記第２の記憶手段に記憶されたデータを前記第１の記憶手段に記憶する制御手段と、を有し、
前記供給手段は、前記情報処理装置を前記第２電力モードに移行させる要因があった場合に、前記第１の記憶手段に対して電力の供給を停止して前記情報処理装置を前記第２電力モードにし、
前記情報処理装置が前記第２電力モードで前記第１の記憶手段へのデータの書込要求を受信した場合、前記制御手段は、前記書込要求において書込対象とされているデータを前記第２の記憶手段に保持しておき、前記情報処理装置が前記第１電力モードに移行したことに応じて、前記第２の記憶手段に保持されたデータを前記第１の記憶手段に書き込む、ことを特徴とする情報処理装置。
【請求項１４】
前記制御手段は、前記第２の記憶手段に保持されたデータを、前記情報処理装置が前記第２電力モードから電源オフ状態になった後、前記第１電力モードに移行したことに応じて、前記第１の記憶手段に書き込むことを特徴とする請求項１３に記載の情報処理装置。
【請求項１５】
前記書込要求は、ネットワークを介して外部装置から前記情報処理装置に送信される、ことを特徴とする請求項１３又は１４に記載の情報処理装置。
【手続補正２】
【補正対象書類名】明細書
【補正対象項目名】０００５
【補正方法】変更
【補正の内容】
【０００５】
本発明に係る情報処理装置は、複数のデータを記憶する第１の記憶手段と、前記第１の記憶手段とは異なる第２の記憶手段と、前記情報処理装置が第１電力モードの場合に前記第１の記憶手段及び第２の記憶手段の両方に対して電力を供給し、前記情報処理装置が第２電力モードの場合に前記第２の記憶手段に対して電力を供給し且つ前記第１の記憶手段に対して電力の供給を停止する供給手段と、前記情報処理装置を前記第２電力モードに移行させる要因があった場合に、前記第１の記憶手段に記憶されるデータの一部を前記第１の記憶手段から前記第２の記憶手段に記憶する制御手段とを有し、前記供給手段は、前記第１の記憶手段に記憶されるデータの一部が前記第２の記憶手段に記憶された後に、前記第１の記憶手段に対して電力の供給を停止して前記情報処理装置を前記第２電力モードにし、前記情報処理装置が前記第２電力モードで前記第１の記憶手段に記憶されるデータの読出要求を受信した場合、前記読出要求において読出対象とされているデータが前記第２の記憶手段に記憶されていれば、前記供給手段は前記第１の記憶手段に対する電力の供給を停止したままで、前記制御手段は前記第２の記憶手段から読出対象とされているデータを読み出し、前記情報処理装置が前記第２電力モードで前記第１の記憶手段へのデータの書込要求を受信した場合、前記制御手段は、前記書込要求において書込対象とされているデータを前記第２の記憶手段に保持しておき、前記情報処理装置が前記第１電力モードに移行したことに応じて、前記第２の記憶手段に保持されたデータを前記第１の記憶手段に書き込むことを特徴とする。